(57)【要約】【課題】２枚の板部材と塑性部材により囲まれて形成された内部空間と外気との間を、高度の密封状態で遮断することができる建材構造及びその製造方法を提供する。【解決手段】２枚の板部材１１，１２の周縁部が上下方向から加圧されることにより、２枚の板部材１１，１２の周縁部間に挟まれた塑性材料１５が塑性変形して、２枚の板部材１１，１２の周縁部に所定間隔をおいて並ぶ複数の孔１１ａ，１２ａに塑性材料１５が侵入後カシメられることにより、２枚の板部材１１，１２と塑性材料１５により囲まれて形成された内部空間を密封するようにしたことを特徴とする。【効果】２枚の板部材と塑性部材により囲まれて形成された内部空間と外気との間を、高度の密封状態で遮断することができる。【選択図】      図４
2004190253.tif 000002
【特許請求の範囲】
【請求項１】
２枚の板部材の周縁部が上下方向から加圧されることにより、前記２枚の板部材の周縁部間に挟まれた塑性材料が塑性変形して、前記２枚の板部材の周縁部に所定間隔をおいて並ぶ複数の孔に塑性材料が侵入後カシメられることにより、前記２枚の板部材と前記塑性材料により囲まれて形成された内部空間を密封するようにしたことを特徴とする建材構造。
【請求項２】
周縁部に所定間隔をおいて並ぶ複数の孔を形成した２枚の板部材を互いに対向させて配置し、
前記２枚の板部材の周縁部の相互間に前記板部材より塑性の大きな塑性材料を用いた塑性部材を挟んで配置し、
前記２枚の板部材の周縁部を上下方向から加圧することにより前記塑性部材の塑性材料が塑性変形して対応する部分が前記複数の各孔に侵入し、
前記塑性材料の前記孔の外側に突出した部分又はこの近傍をカシメることにより、
前記２枚の板部材と前記塑性部材により囲まれて形成された内部空間を密封するようにしたことを特徴とする建材構造の製造方法。
【発明の詳細な説明】
【０００１】
【発明の属する技術分野】
本発明は、例えばフリーアクセスフロアパネルのような建材の構造及びその製造方法に関するものである。
【０００２】
【従来の技術】
従来の建材の構造としては、例えば図９に示すようなフリーアクセスフロアパネルがあった。この従来のフリーアクセスフロアパネルは、互いの輪郭を揃えて互いの周縁部同士を締結して組立てられる、トッププレート１とボトムプレート２とを有している。
【０００３】
トッププレート１は略平板状に形成されているが、ボトムプレート２は所定の深さを有しており、その全周部にはトッププレート１に対して垂直方向に配置される垂直壁部３が形成されている。ボトムプレート２の深さの底部６には円錐台形状の支持部４が、底部６の裏側からの絞り成形によりトッププレート１側に向かって盛り上がるように形成されている。
【０００４】
このような支持部４の頂上部には穴があり、トッププレート１の締結穴７を形成する筒状突出部を、ボトムプレート２の支持部４の頂上部の穴に嵌合させてカシメ加工することにより、トッププレート１の筒状突出部とボトムプレート２の支持部４の頂上部とが一体的に締結されている。
【０００５】
ボトムプレート２の垂直壁部３のトッププレート１側には締結フランジ部５が形成されており、この締結フランジ部５を包み込むように、トッププレート１の周縁部の板が２回直角に折り曲げられて断面がコの字状に形成され、このことによりトッププレート１とボトムプレート２の互いの周縁部同士が締結されている。
【０００６】
従来のフリーアクセスフロアパネルは、上記のような構造とすることにより、トッププレート１とボトムプレート２とを締結して組立を行うと共に、ボトムプレート２の垂直壁部３と円錐台形状の支持部４により、トッププレート１上の荷重に耐える強度を持たせる構造となっている。
【０００７】
【発明が解決しようとする課題】
しかしながら、上記のような従来のフリーアクセアスフロアパネルにおいては、ボトムプレート２の締結フランジ部５を包み込むように、トッププレート１の周縁部の板が２回直角に折り曲げられて断面がコの字状に形成され、このことによりトッププレート１とボトムプレート２の互いの周縁部同士が締結される構造となっているため、そのような締結構造によっては高度の密封状態で内部と外部を遮断することができない。
【０００８】
また、トッププレート１の締結穴７を形成する筒状突出部を、ボトムプレート２の支持部４の頂上部の孔に嵌合させてカシメ加工することにより、トッププレート１とボトムプレート２の支持部４の頂上部とが一体的に締結される構造となっているため、やはりそのような締結構造によっては高度の密封状態で内部と外部を遮断することができない。
【０００９】
このため、例えばトッププレート１とボトムプレート２との間の内部空間を真空状態にして、フリーアクセスフロアパネルに防音機能や断熱機能を持たせようとしてもそれができない。
【００１０】
また、トッププレート１とボトムプレート２との間の内部空間にモルタル等の充填材を充填してフリーアクセスフロアパネルの強度を向上させる場合は、各締結部に多少隙間があっても、モルタルが固まればそれが外部に洩れることはないが、内部空間に砂とか水等の流動性のある充填材を充填した場合は、各締結部にわずかの隙間があっても外部に洩れてくるので、そのような流動性のあるものを上記内部空間の充填材料に使うことができないという問題があった。
【００１１】
そこで本発明は、上記問題点に鑑みて、２枚の板部材と塑性部材により囲まれて形成された内部空間と外気との間を、高度の密封状態で遮断することができる建材構造及びその製造方法を提供することを課題とするものである。
【００１２】
【課題を解決するための手段】
上記課題を解決するために、本発明による建材構造は、
２枚の板部材の周縁部が上下方向から加圧されることにより、前記２枚の板部材の周縁部間に挟まれた塑性材料が塑性変形して、前記２枚の板部材の周縁部に所定間隔をおいて並ぶ複数の孔に塑性材料が侵入後カシメられることにより、前記２枚の板部材と前記塑性材料により囲まれて形成された内部空間を密封するようにしたことを特徴とするものである。
【００１３】
【発明の実施の形態】
以下、本発明の実施の形態について、図面に基づいて具体的に説明する。図１ないし図６は、本発明による建材構造及びその製造方法の第１の実施の形態について説明するために参照する図であり、特にこの実施の形態に係る建材構造の製造方法の手順を説明するために参照する図である。
【００１４】
まず、図１に示すように、トッププレート１１（板部材）は略平板状で四辺形の鉄板により形成されていると共に、その四辺の周縁部には所定間隔をおいて多数の孔１１ａが一列に並ぶように形成されている。
【００１５】
図２に示すように、トッププレート１１の裏側（図中下側）には、それと同様に略平板状で四辺形の鉄板により形成されていると共に、その四辺の周縁部に所定間隔をおいて多数の孔１２ａが一列に並ぶように形成された、ボトムプレート１２（板部材）が設けられている。
【００１６】
トッププレート１１とボトムプレート１２との間には、鉄板よりも塑性の大きな塑性材料である銅により形成され、図１に破線で示すように、四角枠状に形成された塑性部材１５が挟まれて配置されている。なお塑性部材１５は、塑性材料であればよく、銅以外の金属やプラスチック等の他の材料を用いてもよい。
【００１７】
次に、このようなトッププレート１１とボトムプレート１２の間に塑性部材１５を挟んだ構造体を、図３に示すように、プレスの上金型１７と下金型１８との間に配置するようにセットする。
【００１８】
上金型１７の、トッププレート１１の周縁部との接触面には、各孔１１ａに対応する箇所にカシメ凹部１７ａが形成されている。同様に下金型１８の、ボトムプレート１２の周縁部との接触面には、各孔１２ａに対応する箇所にカシメ凹部１８ａが形成されている。
【００１９】
図４に示すように、固定されている下金型１８に対して、上金型１７の上からプレスの圧力Ｐをかけることにより、塑性部材１５が塑性変形してその対応する箇所が、トッププレート１１、ボトムプレート１２の各孔１１ａ，１２ａに侵入し、それら各孔１１ａ，１２ａからトッププレート１１、ボトムプレート１２の外側に押し出された突出部１５ａ，１５ｂが、上金型１７，下金型１８のカシメ凹部１７ａ，１８ａに入り込んでカシメられる。
【００２０】
このようにしてできた構造体を、上金型１７と下金型１８の間から取り出すと、図５，６に示すような建材構造２０ができ上がる。このような建材構造２０によれば、トッププレート１１と塑性部材１５、ボトムプレート１２と塑性部材１５の間を高度の密封状態にできるので、トッププレート１１，ボトムプレート１２及び塑性部材１５により囲まれて形成された内部空間と外気との間を高度の密封状態で遮断することができる。
【００２１】
図７は、本発明の第２の実施の形態について説明するために参照する図である。前記第１の実施の形態に係る建材構造２０においては、塑性部材１５の突出部１５ａ，１５ｂの縦断面が、矩形状に形成されたものであったのに対し、この第２の実施の形態に係る建材構造３０においては、塑性部材１５の突出部１５ｃの縦断面が、半円状に形成されている点において異なるものである。
【００２２】
そして、この第２の実施の形態においては、上金型１７と下金型１８のカシメ凹部の縦断面も半円状に形成される点においても、前記第１の実施の形態と異なるものである。
【００２３】
図８は、本発明の第３の実施の形態について説明するために、参照する図である。
【００２４】
前記実施の形態においては、各孔１１ａ，１２ａからトッププレート１１，ボトムプレート１２の外側に、塑性部材１５の突出部１５ａ，１５ｂ，１５ｃが突出するようになっていたのに対し、この第３の実施の形態に係る建材構造３０においては、次の点において前記実施の形態と異なるものである。
【００２５】
すなわち、トッププレート１１，ボトムプレート１２の各孔１１ｂ，１２ｂの外側端部にはテーパ部１１ｃ，１２ｃが形成されていて、塑性部材１５の、上記各孔１１ｂ，１２ｂに侵入した塑性変形部１５ｄの先端部は、上記テーパ部１１ｃ，１２ｃに入り込むことによりカシメられ、その塑性変形部１５ｄの先端面は、トッププレート１１，ボトムプレート１２の外周面と同一面となっている点において異なるものである。
【００２６】
このように本実施の形態においては、塑性部材１５の塑性変形部１５ｄが、各孔１１ｂ，１２ｂからトッププレート１１，ボトムプレート１２の外側に突出しない構造となっているため、周辺部材との関係でレイアウト上の自由度を向上させることができる。
【００２７】
そして、本実施の形態においては、上金型と下金型の、トッププレート１１，ボトムプレート１２の周縁部に接触する面にはカシメ凹部が無い、単なる平面となっている点においても、前記実施の形態と異なるものである。
【００２８】
なお、前記実施の形態においては、トッププレート１１、ボトムプレート１２の各孔１１ａ，１２ａが一列に並んで形成されていたが、その各孔は複数列に並んで形成されるようにしてもよい。
【００２９】
【発明の効果】
以上説明したように、本発明によれば、２枚の板部材と塑性部材により囲まれて形成された内部空間と、外気との間を、高度の密封状態で遮断することが可能となる。
【００３０】
このため、トッププレート１１、ボトムプレート１２及び塑性部材１５により囲まれて形成された内部空間を真空状態にして、例えばフリーアクセスフロアパネルに防音機能や断熱機能を持たせることができる。
【００３１】
また、前記内部空間に砂とか水等の流動性のある充填材料を充填しても外部に洩れてくることはないので、そのような流動性のあるものを前記内部空間の充填材料に使って建材構造の強度を向上させることが可能となる。
【図面の簡単な説明】
【図１】トッププレート１１及び塑性部材１５を示すその平面図である。
【図２】トッププレート１１，ボトムプレート１２及び塑性部材１５をプレスで押圧する前の側面断面図である。
【図３】トッププレート１１，ボトムプレート１２及び塑性部材１５を上金型１７と下金型１８の間にセットしたときの側面断面図である。
【図４】トッププレート１１，ボトムプレート１２及び塑性部材１５を上金型１７と下金型１８の間で押圧したときの側面断面図である。
【図５】トッププレート１１，ボトムプレート１２及び塑性部材１５を上金型１７と下金型１８の間で押圧した後にできた建材構造２０の図６におけるＡ−Ａ線断面図である。
【図６】建材構造２０の一部破断平面図である。
【図７】本発明の第２の実施の形態を示す建材構造３０の側面断面図である。
【図８】本発明の第３の実施の形態を示す建材構造４０の側面断面図である。
【図９】従来のフリーアクセスフロアパネルを示すその側面断面図である。
【符号の説明】
１  トッププレート
２  ボトムプレート
３  垂直壁部
４  支持部
５  締結フランジ部
６  底部
７  締結穴
１１  トッププレート
１１ａ，１１ｂ  孔
１１ｃ  テーパ部
１２  ボトムプレート
１２ａ，１２ｂ  孔
１２ｃ  テーパ部
１５  中間部材
１５ａ，１５ｂ，１５ｃ  突出部
１５ｄ  カシメ部
１７  上金型
１７ａ  カシメ凹部
１８  下金型
１８ａ  カシメ凹部
２０，３０，４０  建材構造
【図１】
2004190253.tif 000003
【図２】
2004190253.tif 000004
【図３】
2004190253.tif 000005
【図４】
2004190253.tif 000006
【図５】
2004190253.tif 000007
【図６】
2004190253.tif 000008
【図７】
2004190253.tif 000009
【図８】
2004190253.tif 000010
【図９】
2004190253.tif 000011